(57)【要約】【課題】  単一のレバーを水平方向のみに操作することで、水の流量と混合水の温度とが調節される混合水栓において、大流量の給水を確保できてしかも美観の向上を図る。【解決手段】  レバーの水平方向のみの操作で水の流量と混合水の温度とが調節される混合水栓において、水栓本体は水室と湯室との間に混合部材が収容される開口孔が形成され、混合部材は、水室に連通する水入口孔と湯室に連通する湯入口孔とが形成された外筒と、この外筒の内部に回転自在に収容され水入口孔に連通する水連通孔と湯入口孔に連通する湯連通孔とが形成された内筒とからなり、レバーの水平方向への操作で内筒が回転し、外筒の水入口孔と内筒の水連通孔が連通することで水の流量が調節され、外筒の水入口孔と内筒の連通孔、及び外筒の湯入口孔と内筒の湯連通孔とが連通することで、混合水の温度が調節されるようにした。【選択図】  図１
2007032628.tif 000002
【特許請求の範囲】
【請求項１】
水室と湯室とが形成された水栓本体と、水室及び湯室と連通し水の流量と混合水の温度及び流量とを調節する混合部材と、混合部材と連繋したレバーとを備え、レバーの水平方向のみの操作で水の流量と混合水の温度とが調節される混合水栓において、前記水栓本体は水室と湯室との間に混合部材が収容される開口孔が形成され、混合部材は、水室に連通する水入口孔と湯室に連通する湯入口孔とが形成された外筒と、この外筒の内部に回転自在に収容され水入口孔に連通する水連通孔と湯入口孔に連通する湯連通孔とが形成された内筒とからなり、レバーの水平方向への操作で内筒が回転し、外筒の水入口孔と内筒の水連通孔が連通することで水の流量が調節され、外筒の水入口孔と内筒の連通孔、及び外筒の湯入口孔と内筒の湯連通孔とが連通することで、混合水の温度が調節されるようにしたことを特徴とする混合水栓。
【請求項２】
前記混合部材は、外筒の水入口孔と湯入口孔とが側面に形成され、水栓本体の水室及び湯室とそれぞれ横方向に向かい合わせたことを特徴とする請求項１記載の混合水栓。
【発明の詳細な説明】
【技術分野】
【０００１】
本発明は、単一のレバーを水平方向のみに操作することで、水の流量調節及び混合水の温度調節を行うことのできる混合水栓に関するものである。
【背景技術】
【０００２】
流し台や洗面台等で使用され、単一のレバーを水平方向のみに操作することで、水の流量調節及び混合水の温度調節を行うことのできる混合水栓として公知のものに、特許文献１のものがある。
【０００３】
この特許文献１の混合水栓について簡単に説明すると、両面に貫通する水入口，湯入口，及び出口を設けたセラミックス製の固定板と、前記出口と連通する流通溝を凹設したセラミックス製の可動板とを上下に向かい合わせにして板弁ユニットを構成し、この板弁ユニットを、水栓本体の上部に取り付けられたケーシングに収容させ、前記可動板とレバーとを連繋させ、前記可動板の流通溝には水供給時に水入口と連通し、混合水及び湯のみの供給時に湯入口と連通する湯水案内口及び混合水供給時に水入口と連通する水入口を備えたことで、レバーを中央位置から一方へ回転させると水の流量が調節され、中央位置から他方へ回転させると、混合水の温度が調節されるものである。
【特許文献１】特公平５−２７７９３号公報
【発明の開示】
【発明が解決しようとする課題】
【０００４】
ところで、この種のレバーの操作により水の流量調節及び混合水の温度調節が行われる混合水栓においては、混合水の温度調節機構として、水栓本体の内部に収容されたセラミックス製の固定板と可動板とにより構成されている。固定板と可動板とは円板形で、固定板には水栓本体の水室に連通する水孔、湯室に連通する湯孔、混合室に連通する混合水孔が穿設されるが、十分な通水量の混合水が供給されるようにするためには、各孔の開口面積を広くする必要がある。ところが、固定板は円板形であるため、各孔の開口面積を広くすると、固定板及び可動板が大径となり、水栓本体の上部に取り付けられたケーシングには、固定板と可動板とからなる調節機構が収容される広い空間が必要となり、ケーシングは調節機構に合わせて大径となってしまっていた。
さらに、固定板は水孔、湯孔、混合水孔が上下垂直方向に貫通し、その底面側から上方向へ水，湯が導入されるため、水栓本体の流路内部の低い位置に調節機構を収容することができず、その結果、調節機構が収容されるケーシングが水栓本体から上部へ大きく突出してしまっていた。
このように特許文献１の混合水栓は、板弁ユニットが収容されるケーシングが水栓本体から上部に大きく突出し、使用者の目につきやすいレバーの近辺が大型となってしまい、見栄えの悪いものであった。また、レバーを水平方向へ操作するうえで、水栓本体から上部に向けて大きく突出しているケーシングが目障りであった。
【０００５】
本発明は、このような従来の技術に存在する問題点に着目してなされたものであり、その目的は、単一のレバーを水平方向のみに操作することで、水の流量と混合水の温度とが調節される混合水栓において、大流量の給水を確保できてしかも美観の向上を図ることにある。
【課題を解決するための手段】
【０００６】
上記目的を達成するために、請求項１に記載された混合水栓は、水室と湯室とが形成された水栓本体と、水室及び湯室と連通し水の流量と混合水の温度及び流量とを調節する混合部材と、混合部材と連繋したレバーとを備え、レバーの水平方向のみの操作で水の流量と混合水の温度とが調節される混合水栓において、前記水栓本体は水室と湯室との間に混合部材が収容される開口孔が形成され、混合部材は、水室に連通する水入口孔と湯室に連通する湯入口孔とが形成された外筒と、この外筒の内部に回転自在に収容され水入口孔に連通する水連通孔と湯入口孔に連通する湯連通孔とが形成された内筒とからなり、レバーの水平方向への操作で内筒が回転し、外筒の水入口孔と内筒の水連通孔が連通することで水の流量が調節され、外筒の水入口孔と内筒の連通孔、及び外筒の湯入口孔と内筒の湯連通孔とが連通することで、混合水の温度が調節されるようにしたものである。
【０００７】
請求項２は、請求項１記載の発明による混合水栓において、前記混合部材は、外筒の水入口孔と湯入口孔とが側面に形成され、水栓本体の水室及び湯室とそれぞれ横方向に向かい合わせたものである。
【発明の効果】
【０００８】
本発明の請求項１では、混合水栓の混合部材は外周面に水入口及び湯入口が形成されているため、十分な通水量を確保しながら外径を小径とすることができ、この混合部材が収容される水栓本体をコンパクトに形成することができ、デザインの優れた混合水栓を提供することができる。
【０００９】
請求項２では請求項１記載の発明による混合水栓において、水栓本体の上部への突出寸法が抑えられ、美観が向上する。
【発明を実施するための最良の形態】
【００１０】
以下、本発明の実施例を図に基づいて詳細に説明する。
【実施例１】
【００１１】
図１は、本発明の混合水栓１の全体図である。
混合水栓１は横長に形成された水栓本体２と、その水栓本体２の背面側の左右両端に接続された給水管３及び給湯管４と、水栓本体２で調節された混合水が供給される吐水管１４とを備え、給水管３は給水源と連通し、給湯管４は給湯源と連通している。前記水栓本体２は中空状で、その内部空間の左右には給水管３の流路と連通する水室５と、給湯管４の流路と連通する湯室６とが形成され、水室５と湯室６とは水栓本体２の略中央で隔壁７により仕切られ、この隔壁７には縦方向に貫通孔８が形成されている。水栓本体２は略中央から上部に向けて第１円筒部９が形成され、この第１円筒部９には水室５と連通する開口孔１０が上部に向けて開口しており、この開口孔１０から水室５，隔壁７の貫通孔８、及び湯室６に向けて垂直方向に混合部材１５が装着される。混合部材１５は、ナット１１を第１円筒部９の外周面に結合することで、貫通孔８の内部に固定されるものである。水栓本体２の下部で、前記第１円筒部９と上下同一軸線上には第２円筒部１２が形成され、この第２円筒部１２には混合水を吐水する吐水室１３が形成され、外周面には吐出管１４が回転自在に連結されている。
【００１２】
図２及び図３に示す前記混合部材１５は水の流量と混合水の温度とを調節するものであり、中空円筒状に形成された外筒１６と、この外筒１６の内部に回転自在に収容される内筒２５とを備えている。前記外筒１６の一端には内筒２５を軸方向に収容するための開口孔１７が形成され、その周壁には水栓本体２の水室５と連通する水入口孔１８と、湯室６と連通する湯入口孔１９とが軸方向の同一軸線上に形成されている。さらに外筒１６の他端部中央には、前記開口孔１７より小径の挿通孔２０が形成されている。
【００１３】
図３に示すように、前記外筒１６の外周面には両入口孔１８，１９の間、及び両入口孔１８，１９の外側両端の計３箇所に環状溝２１が形成され、各環状溝２１にはシール材２２がそれぞれ装着されている。また、外筒１６の内壁面には両入口孔１８，１９の周囲に、軸方向に沿って溝孔２３が形成され、この溝孔２３にはシート部材２４が装着されるものである。このシート部材２４は外筒１６の内壁面と内筒２５の外壁面との間を水密的にシールするものであり、ゴム，合成樹脂材，その他の弾性体を素材とし、外筒１６の両入口孔１８，１９の周囲の内壁面に密着され、外筒１６の内壁面と内筒２５の外周面との間を水密的にシールするものである。
【００１４】
前記内筒２５は外筒１６の内部に回転自在に収容されるものであり、一端には外筒１６の挿通孔２０を挿通するスピンドル２６が結合され、外筒１６の開口孔１７から挿通孔２０に向けて同軸となるように収容される。内筒２５の外周面には外筒１６の水入口孔１８と連通する第１水連通孔２７及び第２水連通孔２８と、外筒１６の湯入口孔１９と連通する第３湯連通孔２９とが形成されている。第１水連通孔２７と第２水連通孔２８とは内筒２５の中心軸線に対して向かい合う方向で、かつ同一水平線上に開口している。スピンドル２６の他端には前記水栓本体２の第２円筒部１２に形成された吐水室１３と連通する第４連通孔３０が形成されている。
【００１５】
前記スピンドル２６の先端にはレバー３１が装着され、このレバー３１は水栓本体２の第１円筒部９から上部に露出し、レバー３１の水平方向への操作により内筒２５は外筒１６の内部を回転し、外筒１６の各入口孔１８，１９を通過する水と湯とは内筒２５の内部に供給され、内筒２５の内部で水と湯とが混合された後に、第４連通孔３０から吐水管１４へ供給される。この場合、レバー３１は中央が止水位置で、その止水位置から一方へ回転させると水室５から供給される水のみが供給され、止水位置である中央から他方へ回転させると混合水が供給されるものであり、レバー３１の水平方向への回転操作により、内筒２５は外筒１６の内部を回転し、水又は混合水が吐水管１４から外部へ供給される。
【００１６】
次に、この混合水栓の作用について説明する。
図３（ａ），（ｂ）は、水，混合水の何れも供給されない止水状態を示している。この状態においては、混合部材１５の外筒１６の水入口孔１８と内筒２５の第１水連通孔２７及び第２水連通孔２８、外筒１６の湯入口孔１９と内筒２５の第３湯連通孔２９とは、何れも内筒２５の隔壁２５ａにより遮断されている。従って、水栓本体２の水室５と湯室６とから混合部材１５へ供給される水と湯とは、外筒１６と内筒２５とで遮断され、内筒２５の第４連通孔３０から吐水管１４へは供給されない。
【００１７】
吐水管１４から水を供給するには、レバー３１を中央位置から右方向へ水平操作する。図４（ａ），（ｂ）に示すように、この状態においては、混合部材１５は外筒１６の水入口孔１８と内筒２５の第１水連通孔２７とが連通し、外筒１６の湯入口孔１９と内筒２５の第３湯連通孔２９とは内筒２５の隔壁２５ａにより遮断している。従って、水栓本体２の水室５から混合部材１５の第１水連通孔２７へ水が供給されるが、湯室６から混合部材１５の第３湯連通孔２９へは湯は供給されず、吐水管１４からは水が供給される。
【００１８】
吐水管１４から混合水を供給するには、レバー３１を中央位置から左方向へ水平操作する。図５（ａ），（ｂ）に示すように、この状態においては、混合部材１５は外筒１６の水入口孔１８と内筒２５の第２水連通孔２８とが連通し、外筒１６の湯入口孔１９と内筒２５の第３湯連通孔２９とが連通している。従って、水栓本体２の水室５と湯室６とから混合部材１５へ水と湯とが供給され、内筒２５の内部で水と湯とが混合される。この混合水は内筒２５の第４連通孔３０を通過し、吐水管１４から供給される。
【００１９】
吐水管１４から湯のみを供給するには、レバー３１を混合水の吐水位置からさらに左方向へ水平操作する。図６（ａ），（ｂ）に示すように、この状態においては、混合部材１５は外筒１６の湯入口孔１９と内筒２５の第３湯連通孔２９とが連通し、外筒１６の水入口孔１８と内筒２５の第１水連通孔２７及び第２水連通孔２８とは、内筒２５の隔壁２５ａにより遮断している。従って、水栓本体２の湯室６から混合部材１５へ湯が供給されるが、水室５から混合部材１５へは水は供給されず、吐水管１４からは熱湯が供給される。
【００２０】
以上のように本発明の混合水栓では、混合部材は外筒と内筒とからなる円筒体を二重構造とし、外筒の水入口，湯入口は外筒の外周面に形成されているので、その通水面積を従来の板状の固定板と比較して広くすることができ、この混合部材が収容される水栓本体をコンパクトに形成することができ、デザインの優れた混合水栓を提供することができる。
【図面の簡単な説明】
【００２１】
【図１】本発明の混合水栓の一部縦断面図である。
【図２】本発明の混合水栓に収容される混合部材の斜視図である。
【図３】（ａ）は止水状態の混合部材を示す縦断面図であり、（ｂ）はレバーの位置を示す平面図である。
【図４】（ａ）は水全開供給状態の混合部材を示す縦断面図であり、（ｂ）はレバーの位置を示す平面図である。
【図５】（ａ）は混合水供給状態の混合部材を示す縦断面図であり、（ｂ）はレバーの位置を示す平面図である。
【図６】（ａ）は湯のみ供給状態の混合部材を示す縦断面図であり、（ｂ）はレバーの位置を示す平面図である。
【符号の説明】
【００２２】
１        ：  混合水栓
２        ：  水栓本体
５        ：  水室
６        ：  湯室
１５        ：  混合部材
１６        ：  外筒
１７        ：  開口孔
１８        ：  水入口孔
１９        ：  湯入口孔
２５        ：  内筒
２５ａ      ：  隔壁
２７，２８  ：  水連通孔
２９        ：  湯連通孔
【図１】
2007032628.tif 000003
【図２】
2007032628.tif 000004
【図３】
2007032628.tif 000005
【図４】
2007032628.tif 000006
【図５】
2007032628.tif 000007
【図６】
2007032628.tif 000008